(57)【要約】【課題】激しい運動や衝撃、振動等によっても眼鏡を確実に頭部に保持、固定でき、また種々の眼鏡のつる部にも適用できる眼鏡保持具を提供する。【解決手段】耳掛けつる部の端部が圧入される一対の弾性筒状部２，３と、基端部が弾性筒状部に固着された一対のワイヤ部材４，５と、ワイヤ部材の先端に固着された一対の駒部材８，９とを有し、一方の駒部材が固着された一方のワイヤ部材は、他方の駒部材に所定の摩擦力をもってスライド可能に嵌挿され、他方の駒部材が固着された他方のワイヤ部材は、一方の駒部材に所定の摩擦力をもってスライド可能に嵌挿されており、弾性筒状部に連結されるワイヤ部材の基端部に、ねじ部をもつ第１の硬質部材３１が連結され、弾性筒状部の端部に、第１の硬質部材のねじ部と離脱可能に螺合する第２の硬質部材３４が連結されている。【選択図】  図１
2019028455.tif 000002
【特許請求の範囲】
【請求項１】
眼鏡の耳掛けつる部に嵌合され、眼鏡着用者の頸部近傍の後頭部に掛け渡される眼鏡保持具であって、
前記耳掛けつる部の端部が圧入される一対の弾性筒状部と、
基端部が前記弾性筒状部に連結される一対のワイヤ部材と、
前記ワイヤ部材の先端に固着された一対の駒部材と、を有し、
一方の前記駒部材が固着された一方の前記ワイヤ部材は、他方の前記駒部材に所定の摩擦力をもってスライド可能に嵌挿され、
前記他方の前記駒部材が固着された他方の前記ワイヤ部材は、前記一方の前記駒部材に所定の摩擦力をもってスライド可能に嵌挿されており、
前記駒部材は前記ワイヤ部材の伸長方向に沿って２体の分割形態に形成されており、かつ前記駒部材の分割面に前記ワイヤ部材を嵌挿する弾性合成樹脂製チューブ部材が保持され、分割された前記駒部材の半体どおしを前記分割面で接合することで前記合成樹脂製チューブ部材が前記駒部材の内部に埋設され、
前記ワイヤ部材の前記基端部に、雄ねじ部をもつ第１の硬質部材が連結され、  前記弾性筒状部の前記ワイヤ部材と連結される側の筒状部端部に、前記第１の硬質部材の前記雄ねじ部と離脱可能に螺合する雌ねじ部をもつ第２の硬質部材が連結され、
前記第１の硬質部材と前記第２の硬質部材の螺合解除によって前記弾性筒状部が前記ワイヤ部材に対して交換可能とされることを特徴とする眼鏡保持具。
【請求項２】
眼鏡の耳掛けつる部に嵌合され、眼鏡着用者の頸部近傍の後頭部に掛け渡される眼鏡保持具であって、
前記耳掛けつる部の端部が圧入される一対の弾性筒状部と、
基端部が前記弾性筒状部に連結される一対のワイヤ部材と、
前記ワイヤ部材の先端に固着された一対の駒部材と、を有し、
一方の前記駒部材が固着された一方の前記ワイヤ部材は、他方の前記駒部材に所定の摩擦力をもってスライド可能に嵌挿され、
前記他方の前記駒部材が固着された他方の前記ワイヤ部材は、前記一方の前記駒部材に所定の摩擦力をもってスライド可能に嵌挿されており、
前記駒部材は前記ワイヤ部材の伸長方向に沿って２体の分割形態に形成されており、かつ前記駒部材の分割面に前記ワイヤ部材を嵌挿する弾性合成樹脂製チューブ部材が保持され、分割された前記駒部材の半体どおしを前記分割面で接合することで前記合成樹脂製チューブ部材が前記駒部材の内部に埋設され、
前記ワイヤ部材の前記基端部に、雄ねじ部をもつ第１の硬質部材が連結され、  一端部に雌ねじ部が形成され、かつ他端部に球状突部を有する第２の硬質部材が前記第１の硬質部材に離脱可能に螺合され、
一端部に凹球面が形成された第３の硬質部材が前記弾性筒状部に固着され、
前記第２の硬質部材と前記第３の硬質部材は前記球状突部と前記凹球面との嵌合による相対回動可能な関節接合形態で連結され、
前記第１の硬質部材と前記第２の硬質部材の螺合解除によって前記弾性筒状部が前記ワイヤ部材に対して交換可能とされることを特徴とする眼鏡保持具。
【請求項３】
眼鏡の耳掛けつる部に嵌合され、眼鏡着用者の頸部近傍の後頭部に掛け渡される眼鏡保持具であって、
前記耳掛けつる部の端部が圧入される一対の弾性筒状部と、
基端部が前記弾性筒状部に連結される一対のワイヤ部材と、
前記ワイヤ部材の先端に固着された一対の駒部材と、を有し、
一方の前記駒部材が固着された一方の前記ワイヤ部材は、他方の前記駒部材に所定の摩擦力をもってスライド可能に嵌挿され、
前記他方の前記駒部材が固着された他方の前記ワイヤ部材は、前記一方の前記駒部材に所定の摩擦力をもってスライド可能に嵌挿されており、
前記駒部材は前記ワイヤ部材の伸長方向に沿って２体の分割形態に形成されており、かつ前記駒部材の分割面に前記ワイヤ部材を嵌挿する弾性合成樹脂製チューブ部材が保持され、分割された前記駒部材の半体どおしを前記分割面で接合することで前記合成樹脂製チューブ部材が前記駒部材の内部に埋設され、
前記ワイヤ部材の前記基端部に、第１の硬質部材が連結され、
前記弾性筒状部の前記ワイヤ部材と連結される側の筒状部端部に、第２の硬質部材が連結され、
前記第１の硬質部材と前記第２の硬質部材には互いにくさび係合する斜面係合部が形成されており、
前記第１，第２の硬質部材の相対回転操作で前記第１，第２の両硬質部材がくさび係合して結合され、反対方向の相対回転操作により前記第１，第２の両硬質部材が離脱して前記弾性筒状部が前記ワイヤ部材に対して交換可能とされることを特徴とする眼鏡保持具。
【請求項４】
前記ワイヤ部材の前記基端部に、第１の傾斜突条部をもつ第１の硬質部材が連結され、
前記弾性筒状部の前記ワイヤ部材と連結される側の筒状部端部に、一対の第２の傾斜突条部をもつ第２の硬質部材が連結され、
前記第１，第２の硬質部材の相対回転操作で前記一対の第２の傾斜突条部の間に前記第１の傾斜突条部が挟み込まれて傾斜突条部間のくさび係合で前記第１，第２の硬質部材が結合し、前記第１，第２の硬質部材の反対方向の相対回転操作で前記くさび係合が離脱して前記弾性筒状部が前記ワイヤ部材に対して交換可能とされることを特徴とする請求項３に記載した眼鏡保持具。
【請求項５】
前記ワイヤ部材の前記基端部に、一対の第１の傾斜突条部をもつ第１の硬質部材が連結され、
前記弾性筒状部の前記ワイヤ部材と連結される側の筒状部端部に、第２の傾斜突条部をもつ第２の硬質部材が連結され、
前記第１，第２の硬質部材の相対回転操作で前記一対の第１の傾斜突条部の間に前記第２の傾斜突条部が挟み込まれて傾斜突条部間のくさび係合で前記第１，第２の硬質部材が結合し、前記第１，第２の硬質部材の反対方向の相対回転操作で前記くさび係合が離脱して前記弾性筒状部が前記ワイヤ部材に対して交換可能とされることを特徴とする請求項３に記載した眼鏡保持具。
【請求項６】
前記駒部材に固着される前記ワイヤ部材の先端に玉部材が抜出し不能に装着され、前記駒部材の各分割面に前記玉部材を収容する凹部が形成され、分割された前記駒部材の半体どおしを前記分割面で接合固着することで前記ワイヤ部材の先端が前記駒部材に埋設固着されることを特徴とする請求項１ないし請求項５に記載した眼鏡保持具。
【発明の詳細な説明】
【技術分野】
【０００１】
本発明は、眼鏡が顔面からずれ落ちないように眼鏡を眼鏡着用者の頭部に保持するのに有用な眼鏡保持具に関する。本発明はまた、眼鏡を顔面に着用状態に保持するほかにも、眼鏡を眼鏡使用者の頸部からあご下〜胸元に吊持する場合にも使用される眼鏡保持具に関する。
【背景技術】
【０００２】
一般に眼鏡フレームは一対のレンズの外端から耳側へ向ってのびる硬質の細枠部材を備え、この細枠部材の先端部分が眼鏡着用者の耳の付根に沿って折曲ないしわん曲し、この部分を頭部と耳の根元部との間に挟み込んで眼鏡を保持する。ここでは前記細枠部材を眼鏡の「耳掛けつる部」と称することとするが、この耳掛けつる部の先端（後端）は単に耳の付根裏側に挟み込むだけであるため、着用状態で頭部を激しく動かしたりすると、眼鏡がずれたり、場合によっては外れ落ちたりすることがある。特に、激しい運動をするスポーツ選手等では運動中に眼鏡がずれないように気を使わなければならず、万一外れ落ちたりすると危険な事故となる。
【０００３】
このような事故をなくすために従来から眼鏡の一対の耳掛けつる部を眼鏡着用者の頭部背側できつく連結し、眼鏡のずれ落ちを防止するようにした眼鏡固定具が提案されている。
一方、人によっては必要な時のみ眼鏡を着用し、不要な時には眼鏡を外して卓上に置いたり、しまい込んだりすることがあり、外した眼鏡を置き忘れるなど紛失してしまうことがある。これを防止するため、眼鏡のつる部に長い紐状の部材を取り付け、この紐を頸の背側へ掛け渡し、外した眼鏡をこの紐部材によって顎の下側〜胸元へ垂下させておくようにしたものも実際に存在している。
【先行技術文献】
【特許文献】
【０００４】
【特許文献１】実用新案登録第３１９９２５７号公報
【特許文献２】特開２０１４−８１４６０号公報
【特許文献３】特開２０１３−２０１０２号公報
【特許文献４】実用新案登録第３１７４８２５号公報
【特許文献５】実用新案登録第３０１９７０９号公報
【特許文献６】米国特許第８５２３３５０Ｂ２号明細書
【発明の概要】
【発明が解決しようとする課題】
【０００５】
特許文献１に係る眼鏡保持具は、眼鏡の両側の耳掛けつる部を一対のワイヤ部材で連結し、この一対のワイヤ部材および駒部材から成るワイヤ構造部の長さを手動で変え得るようにしたものである。軽量で眼鏡着用者の後頭部〜頸部に掛け渡すワイヤ構造部の長さ調整も容易であり、頭部の激しい動きに対して眼鏡のずれや脱落を防止できる上で有用であるが、ワイヤ部材を手動で長さ調整する場合のワイヤ部材と駒部材との間に生じる摩擦力を最適にするための摩擦力付与手段の点で問題があった。また、眼鏡の耳掛けつる部の端部を圧入する眼鏡保持具の両端の弾性筒状部も種々の形状、大きさの耳掛けつる部に対応できるようにする構造については改善の余地があり、また前記耳掛けつる部の圧入が容易で、確実に耳掛けつる部を保持できるようにする点でも若干改善の余地があった。
【０００６】
特許文献２に記載の眼鏡固定具は、頭部背側に接当する帯状固定部材が偏平巾広の部材であって、その両端部を眼鏡本体部から左右にのびた偏平なテンプル部に連結する構造のため、市販の種々な形態の眼鏡にそのまま適用することはできない。また、この構造の固定具は長さの調節が有段、例えば３段階の長さ調整であり、子供から大人まであらゆる人に適用できるように無段階に細かく調節できるようにはなっていない。
【０００７】
特許文献３の眼鏡保持用治具は、鼻パッドの無い眼鏡を頭部の背面で眼鏡の両端のテンプル部をつなぐようにしたものであり、スポーツ用など激しい運動や振動の際にずれ落ちるおそれがある。
【０００８】
特許文献４に記載の眼鏡および眼鏡セットは、眼鏡の前面側に偏った重量の過半量を頭部背側へかかるように重量配分して眼鏡が顔の前面下方へずれ下がるのを防止した構造であり、耳掛けフレーム即ち耳掛けつる部に連結される頭部背側の伸長部材を長さ調整して頭部に締め付けるという構造ではない。
【０００９】
さらに特許文献５の眼鏡保持紐は編み紐の伸縮性を利用して頭部背頸部に締め付けるものであり、紐自体に長さ調整機能を付加したものではなく、長期使用によって紐自体が劣化するおそれがある。なお、特許文献２〜４のものは、いずれも眼鏡の頭部への固定のみを目的としたものであり、眼鏡の紛失や置き忘れ防止のための眼鏡吊下げの機能は有していない。
【００１０】
特許文献６に示される関節接合形眼鏡保持システムは、眼鏡フレームのテンプル端部を嵌挿する弾性チューブを、後頭部に掛け渡されるケーブルに対して交換可能としたものであり、テンプル挿入孔の孔形の異なる弾性チューブを眼鏡フレームのテンプルの大きさや形状に応じて選定できるようにした構造が示されている。この構造にあっては、弾性チューブとケーブルの結合、離脱形態は、チューブ後端に固着した硬質の球状部とケーブル端部に固着した硬質ソケット部との強制圧入嵌合、強制離脱の構造を採用している。しかしこの構造は、小さな硬質球状部と硬質ソケット部との圧入嵌合、外力強制離脱の手動操作に大きな力を要し、簡単、迅速に嵌合、離脱ができず、操作性の点で問題があった。なお、この特許においては、前記ケーブルの長さ調整機構について何ら開示されていない。
【００１１】
本発明は、軽量で頭部に装着した際の違和感がなく、激しい運動や衝撃、振動等によっても眼鏡を確実に頭部に保持、固定できる眼鏡保持具を提供することを目的とする。
【００１２】
本発明はまた、眼鏡着用者の後頭部に掛け渡されるワイヤ部材の長さ調整に際して、適切な摩擦力を有してワイヤ部材をスライドさせて長さの調節ができ、着用者の頭部のサイズや形状に簡単に合せることができ、さらに各種仕様、形状の市販の眼鏡にも適用できる眼鏡保持具を提供することを目的とする。
【００１３】
本発明はさらに、後頭部に掛け渡されるワイヤ部材の長さ調整が可能な眼鏡保持具において、眼鏡の耳掛けつる部を挿入する弾性筒状部を、後頭部に掛け渡されるワイヤ部材に対して簡単に、かつ何ら大きな力を要せずに係合、分離し得るようにし、これによって種々形状の眼鏡フレームの耳掛けつる部にも対応できるようにした眼鏡保持具を提供することを目的とするものである。
【００１４】
本発明はまた、前記ワイヤ部材に対して最適な摺動摩擦力を容易に付与することができ、煩雑な摩擦力調整作業を経ることなく容易に製造できる眼鏡保持具を提供することを目的とする。
【００１５】
本発明はさらに、眼鏡を顔面に固定するだけでなく、必要に応じて眼鏡を着用者の顎の下方や胸元に頸から吊り下げておくことができ、これによって眼鏡の置き忘れや紛失の防止に役立つ眼鏡保持具を提供することを目的とする。
【課題を解決するための手段】
【００１６】
第１の本発明によれば、眼鏡の耳掛けつる部に嵌合され、眼鏡着用者の頸部近傍の後頭部に掛け渡される眼鏡保持具であって、前記耳掛けつる部の端部が圧入される一対の弾性筒状部と、基端部が前記弾性筒状部に連結される一対のワイヤ部材と、前記ワイヤ部材の先端に固着された一対の駒部材と、を有し、一方の前記駒部材が固着された一方の前記ワイヤ部材は、他方の前記駒部材に所定の摩擦力をもってスライド可能に嵌挿され、前記他方の前記駒部材が固着された他方の前記ワイヤ部材は、前記一方の前記駒部材に所定の摩擦力をもってスライド可能に嵌挿されており、前記駒部材は前記ワイヤ部材の伸長方向に沿って２体の分割形態に形成されており、かつ前記駒部材の分割面に前記ワイヤ部材を嵌挿する弾性合成樹脂製チューブ部材が保持され、分割された前記駒部材の半体どおしを前記分割面で接合することで前記合成樹脂製チューブ部材が前記駒部材の内部に埋設されており、さらに前記ワイヤ部材の前記基端部に、雄ねじ部をもつ第１の硬質部材が連結され、前記弾性筒状部の前記ワイヤ部材と連結される側の筒状部端部に、前記第１の硬質部材の前記雄ねじ部と離脱可能に螺合する雌ねじ部をもつ第２の硬質部材が固着され、前記第１の硬質部材と前記第２の硬質部材の螺合解除によって前記弾性筒状部が前記ワイヤ部材に対して交換可能とされることを特徴とする眼鏡保持具が提供される。
【００１７】
第２の本発明によれば、眼鏡の耳掛けつる部に嵌合され、眼鏡着用者の頸部近傍の後頭部に掛け渡される眼鏡保持具であって、前記耳掛けつる部の端部が圧入される一対の弾性筒状部と、基端部が前記弾性筒状部に連結される一対のワイヤ部材と、前記ワイヤ部材の先端に固着された一対の駒部材と、を有し、一方の前記駒部材が固着された一方の前記ワイヤ部材は、他方の前記駒部材に所定の摩擦力をもってスライド可能に嵌挿され、前記他方の前記駒部材が固着された他方の前記ワイヤ部材は、前記一方の前記駒部材に所定の摩擦力をもってスライド可能に嵌挿されており、前記駒部材は前記ワイヤ部材の伸長方向に沿って２体の分割形態に形成されており、かつ前記駒部材の分割面に前記ワイヤ部材を嵌挿する弾性合成樹脂製チューブ部材が保持され、分割された前記駒部材の半体どおしを前記分割面で接合することで前記合成樹脂製チューブ部材が前記駒部材の内部に埋設され、前記ワイヤ部材の前記基端部に雄ねじ部をもつ第１の硬質部材が連結され、一端部に雌ねじ部が形成され、かつ他端部に球状突部を有する第２の硬質部材が前記第１の硬質部材に離脱可能に螺合され、一端部に凹球面が形成された第３の硬質部材が前記弾性筒状部に固着され、前記第２の硬質部材と前記第３の硬質部材は前記球状突部と前記凹球面との嵌合による相対回動可能な関節接合形態で連結され、前記第１の硬質部材と前記第２の硬質部材の螺合解除によって前記弾性筒状部が前記ワイヤ部材に対して交換可能とされることを特徴とする眼鏡保持具が提供される。
【００１８】
第３の本発明によれば、眼鏡の耳掛けつる部に嵌合され、眼鏡着用者の頸部近傍の後頭部に掛け渡される眼鏡保持具であって、前記耳掛けつる部の端部が圧入される一対の弾性筒状部と、基端部が前記弾性筒状部に連結される一対のワイヤ部材と、前記ワイヤ部材の先端に固着された一対の駒部材と、を有し、一方の前記駒部材が固着された一方の前記ワイヤ部材は、他方の前記駒部材に所定の摩擦力をもってスライド可能に嵌挿され、前記他方の前記駒部材が固着された他方の前記ワイヤ部材は、前記一方の前記駒部材に所定の摩擦力をもってスライド可能に嵌挿されており、前記駒部材は前記ワイヤ部材の伸長方向に沿って２体の分割形態に形成されており、かつ前記駒部材の分割面に前記ワイヤ部材を嵌挿する弾性合成樹脂製チューブ部材が保持され、分割された前記駒部材の半体どおしを前記分割面で接合することで前記合成樹脂製チューブ部材が前記駒部材の内部に埋設され、前記ワイヤ部材の前記基端部に、第１の硬質部材が連結され、前記弾性筒状部の前記ワイヤ部材と連結される側の筒状部端部に、第２の硬質部材が連結され、前記第１の硬質部材と前記第２の硬質部材には互いにくさび係合する斜面係合部が形成されており、前記第１，第２の硬質部材の相対回転操作で前記第１，第２の両硬質部材がくさび係合して結合され、反対方向の相対回転操作により前記第１，第２の両硬質部材が離脱して前記弾性筒状部が前記ワイヤ部材に対して交換可能とされることを特徴とする眼鏡保持具が提供される。
【００１９】
本発明のひとつの形態によれば、前記ワイヤ部材の前記基端部に、第１の傾斜突条部をもつ第１の硬質部材が連結され、前記弾性筒状部の前記ワイヤ部材と連結される側の筒状部端部に、一対の第２の傾斜突条部をもつ第２の硬質部材が連結され、前記第１，第２の硬質部材の相対回転操作で前記一対の第２の傾斜突条部の間に前記第１の傾斜突条部が挟み込まれて傾斜突条部間のくさび係合で前記第１，第２の硬質部材が結合し、前記第１，第２の硬質部材の反対方向の相対回転操作で前記くさび係合が離脱して前記弾性筒状部が前記ワイヤ部材に対して交換可能とされている。
【００２０】
本発明の他の形態によれば、前記ワイヤ部材の前記基端部に、一対の第１の傾斜突条部をもつ第１の硬質部材が連結され、前記弾性筒状部の前記ワイヤ部材と連結される側の筒状部端部に、第２の傾斜突条部をもつ第２の硬質部材が連結され、前記第１，第２の硬質部材の相対回転操作で前記一対の第１の傾斜突条部の間に前記第２の傾斜突条部が挟み込まれて傾斜突条部間のくさび係合で前記第１，第２の硬質部材が結合し、前記第１，第２の硬質部材の反対方向の相対回転操作で前記くさび係合が離脱して前記弾性筒状部が前記ワイヤ部材に対して交換可能とされている。
【００２１】
本発明のさらに他の形態にぱれば、前記駒部材に固着される前記ワイヤ部材の先端に玉部材が抜出し不能に装着され、前記駒部材の各分割面に前記玉部材を収容する凹部が形成され、分割された前記駒部材の半体どおしを前記分割面で接合固着することで前記ワイヤ部材の先端が前記駒部材に埋設固着されている。
【発明の効果】
【００２２】
本発明に係る眼鏡保持具によれば、軽量でかつ簡単に既存の眼鏡に装着でき、スポーツ運動時など強い振動や衝撃が頭部に作用しても眼鏡のずれや脱落を防止できる。また、ワイヤ部材に対して適切な摩擦力を有して全体の長さ調整が簡単にでき、着用者の頭部に合せた装着ができる。
【００２３】
さらに本発明に係る眼鏡保持具は、眼鏡の固定だけでなく、眼鏡の非使用時にも眼鏡を使用者の顎下や胸元に吊り下げておくことができ、例えば卓上に置いた眼鏡の置き忘れや紛失を防止できる。
【００２４】
この種の眼鏡保持具においては、頭部背側に掛け渡すワイヤ部材を適切な摩擦力をもって長さ調整できることが必要であり、この摩擦力が弱すぎるとワイヤ部材が頭部からずれ下がり、強すぎると長さの調整がスムーズにできなくなるが、本発明においてはワイヤ部材と駒部材との間に設けられた摩擦力付与手段により、常に適切な摩擦力が容易に得られる。
【００２５】
また本発明においては、眼鏡フレームの耳掛けつる部の端部に挿入する弾性筒状部に対し、後頭部に掛け渡すワイヤ部材を容易に係着、離脱することができ、種々形状の眼鏡（フレーム）に対して弾性筒状部を交換でき、汎用性の高い眼鏡保持具が得られる。
【図面の簡単な説明】
【００２６】
【図１】本発明の実施例１に係る眼鏡保持具を一部裁断した状態で示した平面図である。
【図２】図１の状態から眼鏡保持具の長さを調節して全体の長さを長くした場合の一部裁断平面図である。
【図３】本発明の実施例１に係る眼鏡保持具において片側の弾性筒状部と片側の駒部材を互いに離れる方向へ引離し操作したときの状態を示した平面図である。
【図４】本発明の実施例１に係る眼鏡保持具における弾性筒状部とワイヤ部材の係合状態を示した拡大断面図である。
【図５】本発明の実施例に係る駒部材の分割された一方の半体を示す拡大図であって、同図（ａ）は前記半体の分割面を示す平面図、同図（ｂ）は同図（ａ）のＡ−Ａ線断面図である。
【図６】本発明の実施例に係る駒部材の分割された他方の半体とワイヤ部材との係合状態を示す拡大図であって、同図（ａ）は前記半体の分割面における平面図、同図（ｂ）は同図（ａ）のＢ−Ｂ線断面図である。
【図７】本発明の実施例に係る眼鏡保持具を眼鏡着用者の頸部近傍の後頭部に掛け渡して眼鏡を固定したときの状態を示す図である。
【図８】本発明の実施例２に係る眼鏡保持具の弾性筒状部とワイヤ部材との連結機構部を示す縦断面図である。
【図９】本発明の実施例３に係る眼鏡保持具の弾性筒状部とワイヤ部材との連結機構部を示す縦断面図である。
【図１０】本発明の実施例４に係る眼鏡保持具の弾性筒状部とワイヤ部材との連結機構部を示す縦断面図である。
【発明を実施するための形態】
【００２７】
次に、本発明を、図面を参照しつつ、各種の実施例について説明する。
（実施例１）
図１〜図３に示す実施例１の眼鏡保持具は、全体としては眼鏡の耳掛けつる部に嵌合される一対の弾性筒状部２，３を細紐状の構造部材で連結した構成、この実施例では一対のワイヤ部材４，５と一対の駒部材８，９とで構成されるワイヤ構造体で連結した構成を有している。前記ワイヤ部材は曲げに対して或る程度の可撓性を有するが、各々のワイヤ部材自体は長さが伸縮するものではない。ワイヤ部材は金属製あるいは合成樹脂製の線材で構成される。図示の実施例１では複数本のステンレス製の細線を撚り合せたステンレス線材の外周に樹脂被覆、たとえばＰＶＣ被覆が施され、かつ、細線の撚り合せにより全長にわたって表面が僅かに螺旋状あるいは極小の連続凹凸形状を呈するように構成されている。
【００２８】
実施例１に係る一対の弾性筒状部２，３は全体がシリコンゴム等の弾性材で形成され、軸方向外端１１へ向って開口した大径の中空部１５と、この中空部に連接して前記外端と反対側の端部に開通する小径孔６とを有している。外端１１の開口部から大径中空部１５に眼鏡の耳掛けつる部（図示せず）の端部が圧入され、小径孔６にはワイヤ部材４の端部（基端）が抜出し不能に挿入されている。具体的には、図４の拡大断面図に示すように、弾性筒状部２の小径孔６に挿入されるワイヤ部材４の端部に金属小片等から成るストッパ部材１２がカシメ固定され、このストッパ部材１２に接当して前記小径孔６よりも大径の丸玉部材１３がワイヤ部材４に装着されている。ストッパ部材１２は丸玉部材１３の抜止めの機能を果たすものである。弾性筒状部２の外端開口部から該筒状部の小径孔６に挿入されたワイヤ部材４は、ワイヤ部材端部の丸玉部材１３が筒状部２内部の大径中空部１５と小径孔６との間の段差部１５ａに係合することにより、弾性筒状部２の小径孔からのワイヤ部材４の抜出しが阻止される。
【００２９】
再び図１、図２を参照すれば、一対のワイヤ部材４，５に関して、一方の弾性筒状部２から伸長した一方のワイヤ部材４の先端には硬質ゴムあるいは硬質樹脂製の偏平な駒部材８が固着されている。同様に他方の弾性筒状部３から伸長した他方のワイヤ部材５の先端に同様の材質から成る偏平な駒部材９が固着されている。そして前記一方のワイヤ部材４は前記他方のワイヤ部材５の先端に固着された駒部材９の内部を所定の摩擦力を有してスライド可能に貫通している。前記他方のワイヤ部５も同様に前記一方のワイヤ部４の先端に固着された駒部材８を所定の摩擦力を有してスライド可能に貫通している。
【００３０】
このような全体構成において、両端の弾性筒状部２，３を両手でつまんで外方へ向けて左右（図２の矢印Ｌ方向）に引張ることにより、ワイヤ部材先端に固着された駒部材８，９はそれぞれ他方のワイヤ部材５，４に対して摺動し、全体の長さが長くなる。（ワイヤ軸線方向の一対の駒部材８，９どおしの間隔は小となる、図２）。また、この状態から両側の駒部材８，９を両手でつまんで外方へ向けて左右（図１の矢印Ｓ方向）に引張ることにより、ワイヤ部材４，５の先端に固着された駒部材８，９は、それぞれ嵌挿されている他方のワイヤ部材５，４上をすべって弾性筒状部３，２側へ移動し、全体の長さが短くなる（図１）。ここで各ワイヤ部材４，５上をスライドする駒部材９，８は該ワイヤ部材に対して適切な摩擦力をもってスライドする必要があるが、この摩擦力付与構造についてはさらに後述する。
【００３１】
図７は本発明に係る眼鏡保持具１を用いて眼鏡１０を眼鏡着用者の頸部近傍の後頭部の部分で固定した状態を示した図である。眼鏡１０の耳掛けつる部２６の先端を眼鏡保持具１の弾性筒状部２，３の穴１５（図１，図２）に深く嵌挿ないし圧入し、眼鏡１０を掛けた状態で、両弾性筒状部２，３間のワイヤ部材４，５を背側の頸部〜後頭部２７へ掛け渡すとともに、前述した方法でワイヤ部材４，５の長さを調節してワイヤ部材４，５を緊密に背側頭部（後頭部）に接当させることにより、眼鏡１０は着用者の頭部２８〜顔面に固定され、激しい動きによる振動や衝撃に対しても眼鏡がずれたり、外れ落ちたりするのが防止される。
【００３２】
眼鏡１０を頭部２８から外すときは、駒部材および弾性筒状部を操作して眼鏡保持具１の全長を長くして固定を解き、頭部２８から眼鏡１０を取り外す。ここで、眼鏡保持具１の両側の弾性筒状部に眼鏡の耳掛けつる部２６の端部が嵌挿され、かつ眼鏡保持具が眼鏡着用者の後頭部に緊密に掛け渡された状態では、両側の弾性筒状部２，３を同時に外方へ引張ることは事実上難しいが、その場合にはまず片側の弾性筒状部３とこれに隣接した側の駒部材８を両者が離間するように互いに逆方向（図３矢印Ｐ）に引張ることにより、図３に示すように片側のワイヤ部材４が大きく撓み、次に反対側の弾性筒状部２とこれに隣接した側の駒部材９を同様に両者が離れるように引張ることにより、全体の長さが長くなり、着用している眼鏡を顔面から取り外すことができる。
【００３３】
次に、駒部材を貫通するワイヤ部材の駒部材に対する摩擦力付与手段について図５および図６を参照して説明する。樹脂成形加工等で製作される駒部材は、貫通するワイヤ部材の伸長方向に沿って、かつ一対のワイヤ部材を含む平面上で２体に分割されて成形される。分割された駒部材半体１６はその各分割面１６ａに一方のワイヤ部材を挿通させるための貫通溝１７と、他方のワイヤ部材の端部を抜出し不能に収容するための窪み部１８とが形成されている。ワイヤ部材が挿通する貫通溝１７の中央部分は横断面半円形の大形凹溝１９が形成されており、図６に示すように、この凹溝１９に弾性樹脂材のチューブ部材２０が収容されている。チューブ部材２０にはワイヤ部材４が所要の摩擦力をもってスライド可能に嵌挿されている。駒部材９がワイヤ部材４に沿ってスライドするときの、ワイヤ部材４に対する駒部材９の摺動摩擦力はこの弾性樹脂材のチューブ部材２０によってもたらされる。他方のワイヤ部材５および他方の駒部材８についても同様である。なお、図６では駒部材の分割面にワイヤ部材を嵌挿したチューブ部材を収容した状態と、ワイヤ部材の端部を抜出し不能に収容したときの状態を示している。
【００３４】
駒部材とワイヤ部材との間の摩擦力を適切にする手段として、弾性樹脂材のチューブ部材２０をシリコンゴム製チューブ部材とし、ワイヤ部材４をステンレス製ワイヤとしたとき、前記チューブ部材２０の内径とワイヤ部材４の外径は略同等とされる。あるいは極く若干チューブ部材２０の内径の方がワイヤ部材４外径よりも小さくなるように形成される。具体的には、一例として樹脂被覆を含むワイヤ部材４の太さ（外径）を１．３ｍｍとしたとき、前記チューブ部材２０の内径はほぼ１．３ｍｍとされる（あるいは若干チューブ部材の内径を小さめにする）。この内外径の関係により、両者間に適切な摩擦力が生起され、眼鏡の耳掛けつる部を眼鏡保持具の弾性筒状部に圧入して眼鏡着用者の後頭部にワイヤ部材を掛け渡したとき、駒部材に対してワイヤ部材が緩むことなく眼鏡を確実に着用者の顔面〜頭部に保持できる。
【００３５】
一方の駒部材半体１６の分割面１６ａには、図５に示すように、複数個の小突起２３が形成され、他方の駒部材半体１６の分割面１６ａには、図６に示すように、前記小突起２３と嵌合する複数個の小穴２５が形成されている。分割された一対の駒部材半体１６，１６の分割面の形態はこれらの小突起２３および小穴２５の部分以外は互いに同形に形成され、小突起２３と小穴２５が嵌合するように駒部材半体１６，１６どおしを分割面で接合することにより、弾性樹脂材のチューブ部材２０は駒部材９の内部に埋設される。他方の駒部材８についても同様である。
【００３６】
駒部材９に固着されるワイヤ部材５の端部には金属小片等のストッパ部材２１がカシメ固定され、このストッパ部材２１に接当して丸玉部材２２がワイヤ部材５に装着され、このストッパ部材２１と丸玉部材２２が駒部材半体１６の分割面の窪み部１８に収容され、かつ駒部材半体１６，１６どおしを分割面で接合することにより、ワイヤ部材５の端部が抜出し不能に駒部材９に固着される。同時に、シリコンゴム製チューブ部材２０も駒部材内部に封入され、駒部材９を貫通するワイヤ部材４は駒部材９の内部でチューブ部材２０と嵌合している。なお、分割面の接合には例えば接着剤を介して接合してもよい。ワイヤ部材にカシメ固定されるストッパ部材２１はワイヤ部材からの丸玉部材２２の抜出しを阻止するためのものである。
【００３７】
次に、本発明に係る眼鏡保持具の他の実施例について説明する。既述したように、眼鏡の耳掛けつる部の端部が弾性筒状部の端部に開口した中空部に圧入されて眼鏡保持具に保持されるが、眼鏡の耳掛けつる部は眼鏡によって種々の形状、太さのものがあり、弾性筒状部の端部中空部は必ずしもすべての形状、太さの耳掛けつる部に対応し得るとは限らない。弾性筒状部の端部開口〜中空部を大径とすると、耳掛けつる部の挿入は容易であるものの、充分な圧入形態とならず、耳掛けつる部がすぐ抜け出てしまう。逆に、弾性筒状部の端部開口および内部の中空部を小径とすると、耳掛けつる部によっては筒状部への圧入が難しくなる。そこで本発明の実施例２、３においては、ワイヤ部材に対して弾性筒状部を容易に係着、離脱できるようにし、種々の孔形をもつ弾性筒状部を複数用意しておき、種々の眼鏡フレームに対して弾性筒状部のみを交換できるようにしたものである。
【００３８】
（実施例２）
図８を参照すれば、実施例２の弾性筒状部３０に連結される側のワイヤ部材基端部４ａに第１の硬質樹脂部材（第１の硬質部材）３１が抜去不能に連結されている。この第１の硬質部材３１は中空の部材であり、外周部に雄ねじ部３１ａが形成され、その一端はワイヤ部材４が緊密に挿通される内径の小径部３１ｂとなっている。ワイヤ部材４の基端部４ａには前記小径部４ｂより大径の玉部材３２が装着され、かつ玉部材３２に隣接してワイヤ部材基端部４ａにストッパ部材３３がカシメ固定され、これによってワイヤ部材４が第１の硬質部材３１の端部小径部３１ｂから抜け出るのが阻止されている。なお、第１の硬質部材３１の中空部３１ｃは玉部材３２を収容し得る内径部を有し、ワイヤ部材４を第１の硬質部材３１の小径部３１ｂ側から挿入、貫通させ、ワイヤ部材基端部４ａに玉部材３２を挿入し、ストッパ部材３３をカシメ固定した後、ワイヤ部材４を小径部４ｂ側へ引き込むことにより、第１の硬質部材３１とワイヤ部材４が連結される。
【００３９】
弾性筒状部３０には第２の硬質樹脂部材（第２の硬質部材）３４が連結される。図８の実施例２では、第２の硬質部材３４の基端部には、先端に小形のフランジ状の突起をもつ係止部３４ｂが形成され、この係止部３４ｂを弾性筒状部３０の端部内径部に圧入嵌合することにより、第２の硬質部材３４が弾性筒状部３０に固着される。
【００４０】
実施例２の第２の硬質部材３４は中空の部材として構成され、その内径部には第１の硬質部材３１の外周の雄ねじ部３１ａと螺合する雌ねじ部３４ａが形成されている。第１，第２の硬質部材３１，３４の雌雄ねじ部３１ａ，３４ａの螺合により、これらの硬質部材３１，３４を介してワイヤ部材４は弾性筒状部３０に連結され、また、これらの雌雄ねじ部３１ａ，３４ａによる螺合を解くことにより、第１，第２の硬質部材３１，３４は分離し、弾性筒状部３０は第２の硬質部材３４を固着した状態でワイヤ部材４の基端部（第１の硬質部材が固着した状態，図８）から分離される。
【００４１】
既述したように、弾性筒状部３０には眼鏡の耳掛けつる部の端部が圧入されるが、予め第２の硬質部材３４が固着された弾性筒状部３０のつる部嵌挿孔３０ａの形状や大きさを変えた弾性筒状部を複数用意しておくことにより、使用者の眼鏡（の耳掛けつる部２６）に対応した弾性筒状部を選択してワイヤ部材４に連結（第１，第２の硬質部材の螺合連結）することができる。なお、第２の硬質部材３４の外周には使用者の皮膚を傷付けないように軟質性の素材による被覆を施すことも可能である。
【００４２】
（実施例３）
実施例３では、雌ねじ部を持つ第２の硬質部材３４が第３の硬質部材３５を介して弾性筒状部３０に連結された形態となっている。図９に示すように、前述した第１の硬質部材３１と螺合する第２の硬質部材３４の端部に球状突部３６が形成され、また、弾性筒状部３０の端部には、前記球状突部３６と係合する凹球面３５ａを持つ第３の硬質部材３５が圧入嵌合されている。この場合の弾性筒状部３０と第３の硬質部材３５との嵌合、固着は、図８に示したものと同様の形態が採用され得る。また、第３の硬質部材３５の凹球面部分の若干の弾性変形で強制的に第２、第３の弾性部材３４，３５が嵌合して抜去不能に連結される（球状突部３６と凹球面３５ａとの係合）。第２の硬質部材３４の雌ねじ部３４ａに第１の硬質部材３１の端部の雄ねじ部３１ａが離脱可能に螺合し、これによって第２，第３の硬質部材３４，３５を連結した状態の弾性筒状部３０は、第１の硬質部材３１を備えたワイヤ部材４に対して取付け、取外し可能に連結される。なお、実施例３の第１の硬質部材３１は実施例２と同様の構成であり、ワイヤ部材４に装着される玉部材３２および玉部材３２の抜止めとなるストッパ部材３３のカシメ固定構造も実施例２と同様であり、第１の硬質部材３１に対するワイヤ部材４の抜止めが確保される。
【００４３】
ここで、第２の硬質部材３４と第３の硬質部材３５は、球状突部３６と凹球面３５ａとの係合によって関節接合となっており、弾性筒状部３０および第３の硬質部材３５に対して第２の硬質部材３４（および該部材と螺合した第１の硬質部材３１）は或る範囲の関節回動動作が可能となっている。また、弾性筒状部３０の軸線まわりにも回転可能である。図９の実施例３の場合も弾性筒状部３０の孔の形状や大きさを変えた弾性筒状部（第２，第３の硬質部材３４，３５が装着された状態）を複数用意しておくことにより、使用者の眼鏡に対応した弾性筒状部を選択することができる。
【００４４】
（実施例４）
実施例２，３では第１，第２の硬質部材の雄ねじ部と雌ねじ部との離脱可能な螺合連結の手段により弾性筒状部をワイヤ部材に対して交換可能としたが、実施例４では雌雄ねじ部の螺合手段に代えて、第１，第２の硬質部材の相対回転操作による傾斜面どおしのくさび係合で両部材が結合、離脱し得るようにしている。図１０にこのくさび係合手段の一例を示す。なお、図１０で第１，第２の硬質部材のくさび係合手段以外の部分は実施例２の図８の形態と同様であり、同様の部分には同じ符号を付し、その部分の重複した説明は可能な限り省略する。同図に示すように、ワイヤ部材４に連結される第１の硬質部材３１の端部外周面に、該部材の軸線方向に対して傾斜してほぼ半周程度の長さでのびる第１の傾斜突条部３７が形成され、また弾性筒状部３０に連結される第２の中空の硬質部材３４の端部内周面に、同様に軸線方向に対して傾斜して適当な短い長さで内周面に沿ってのびる一対の第２の傾斜突条部３８が形成されている。
【００４５】
この一対の第２の傾斜突条部３８は所定の間隔ｄをもって対峙するように形成されている。また、第２の硬質部材３４の端部には、外面に傾斜突条部３７を有した第１の硬質部材３１が第２の硬質部材３４に挿入され得るように切欠き部３９が形成されている。また、これらの第１の傾斜突条部３７と第２の傾斜突条部３８の傾きは僅かに異なっており、第１の硬質部材３１を第２の硬質部材３４に挿入して回転させたとき、第１の硬質部材３１の第１の傾斜突条部３７が第２の硬質部材３４の一対の第２の傾斜突条部３８の間（間隔ｄの部分）に入り込むようになっている。この状態でさらに第１の硬質部材３１を回転させると、第１の傾斜突条部３７が一対の第２の傾斜突条部３８に対してくさび状態にきつく係合して両部材３１，３４が結合する構成となっている。この状態から第１の硬質部材３１を反対方向に回転させることにより、両部材３１，３４のくさび係合が外れ、第１の硬質部材３１と第２の硬質部材３４は分離可能となる。この場合、第１，第２の傾斜突条部３７，３８の側面は互いにくさび係合する斜面係合部として機能する。
【００４６】
図示の実施例では第１の硬質部材３１の外周面に１本の傾斜突条部３７を形成し、第２の硬質部材３４の内周面に一対の第２の傾斜突状部３８を形成したが、第１の硬質部材３１の外周面に一対の第１の傾斜突状部を形成し、第２の硬質部材３４の内周面に１本の第２の傾斜突条部を形成して第１の傾斜突条部の間に第２の傾斜突条部が挟まれるようにしてもよい。くさび係合形態としては、上述のような傾斜突条部のほかに、平坦な傾斜面による斜面係合部を構成し、この斜面係合部どおしが両部材の相対回転操作でくさび係合するような構成としてもよい。
【００４７】
以上は眼鏡を頭部に固定する場合であるが、本発明に係る眼鏡保持具１は眼鏡の置き忘れ防止、あるいは紛失防止用としても使用可能である。この場合は、眼鏡の耳掛けつる部に保持具１の弾性筒状部２，３を嵌挿させた状態で一対の弾性筒状部を外方へ引張ることにより、一対のワイヤ部材を互いに外方へ変位させ、これによって弾性筒状部間の距離を最大とし、ワイヤ部材４，５を頭部の背側あるいは頸部に掛け渡し、眼鏡本体部を着用者の顎部の下方、胸元へ垂下させることにより、眼鏡の非使用時に眼鏡を着用者に対して保持状態にすることができ、これによって眼鏡の置き忘れや紛失を防止できる。
【００４８】
以上説明したように本発明に係る眼鏡保持具の弾性筒状部は、変形可能なゴム様の弾性体で形成されているので、市販の眼鏡の耳掛けつる部の形状が多少異なるものに対しても充分な固着力をもって耳掛けつる部を弾性筒状部に嵌合させることができる。眼鏡の耳掛けつる部は、ほぼ平行に離間した２本のワイヤ構造体で頭部背側の頸部に拘束されるので、衝撃や振動を受けても眼鏡がずれたり、外れ落ちたりすることはない。眼鏡保持具の各部は特別大きな重量をもつ部材ではなく、全体として極めて軽量であり、装着しているときの違和感もなく、また全体として細いワイヤ部材で頭部下側を固定する構造のため、外部に目立つことはない。因みに樹脂被覆したワイヤ部材の線径は１．３ｍｍ程度であり、特別目立つものではなく、取付け、取外しの操作も簡単であり、全体の長さ調整も容易である。
【符号の説明】
【００４９】
１  眼鏡保持具
２，３，３０  弾性筒状部
４，５  ワイヤ部材
８，９  駒部材
１２，２１  ストッパ部材
１３，２２  丸玉部材
１６  駒部材半体
１７  貫通溝
１８  窪み部
１９  半円形凹溝
２０  チューブ部材
２３  小突起
２５  小穴
３１  第１の硬質部材
３４  第２の硬質部材
３５  第３の硬質部材
３５ａ  凹球面
３６  球状突部
３７  第１の傾斜突状部
３８  一対の第２の傾斜突状部
【図１】
2019028455.tif 000003
【図２】
2019028455.tif 000004
【図３】
2019028455.tif 000005
【図４】
2019028455.tif 000006
【図５】
2019028455.tif 000007
【図６】
2019028455.tif 000008
【図７】
2019028455.tif 000009
【図８】
2019028455.tif 000010
【図９】
2019028455.tif 000011
【図１０】
2019028455.tif 000012